(57)【要約】【課題】安全に使用でき、しかも、体重計を故障させない、体重計の床埋込み構造を提供する。【解決手段】床面１の凹所２の底面２ａの中央部に、凹所２の平面サイズよりも小さい平面サイズの体重計３が設置され、該体重計３の上面部に、体重計３から側方に張り出すが床面１側に突出しない態様で凹所２を塞ぐカバープレート９が設置され、該カバープレート９の側方張り出し部１０と凹所２の底面部２ａとの間に、体重計測の際のカバープレート９の上下方向の変位を許容しながら、カバープレート９が凹所２の底面２ａ側に傾くのを体重計に依存することなく防止する傾き防止機構部１５，１６，１７，１８，１９，２０が備えられている。【選択図】      図１
2006097388.tif 000002
【特許請求の範囲】
【請求項１】
床面に体重計設置用の凹所が設けられ、
該凹所の底面中央部に、凹所の平面サイズよりも小さい平面サイズの体重計が設置され、
該体重計の上面部に、体重計から側方に張り出すが床面側に突出しない態様で凹所を塞ぐカバープレートが設置され、
該カバープレートの側方張り出し部と凹所の底面部との間に、体重計測の際のカバープレートの上下方向の変位を許容しながら、カバープレートが凹所の底面側に傾くのを体重計に依存することなく防止する傾き防止機構部が備えられていることを特徴とする体重計の床埋込み構造。
【請求項２】
前記カバープレートの側方張り出し部と凹所の底面部との間に、カバープレートの上下方向の変位を許容しながら、カバープレートの横滑りを体重計に依存することなく防止する横滑り防止機構部が備えられている請求項１に記載の体重計の床埋込み構造。
【請求項３】
前記カバープレートの側方張り出し部と凹所の底面部との間に、カバープレートの上下方向の変位を許容しながら、カバープレートの上方への外れを体重計に依存することなく防止する外れ防止機構部が備えられている請求項１に記載の体重計の床埋込み構造。
【発明の詳細な説明】
【技術分野】
【０００１】
本発明は、体重計の床埋込み構造に関する。
【背景技術】
【０００２】
一般家庭などにおける体重測定は、床の上に体重計を置き、その上に乗ることによって行われている。しかしながら、体重計は、一定の高さ寸法を備えていることから、不使用時に床に置いておくと、つまずいたり、蹴飛ばしたりすることがある一方で、片づけるのは非常に厄介である。そこで、体重計を床面の所定の位置に埋込み状態に設置することが考えられる。
【０００３】
ところで、体重計を床埋込み状態にする場合、床面に体重計設置用の凹所を設け、該凹所の底面部に体重計を設置し、体重計の上面部に凹所を塞ぐカバープレートを設置することにより、きれいな床埋込み状態を形成することができるが、その場合は、カバープレートを、体重計測の際の上下方向の変位が許容されるように床面側に突出しない態様で備えさせておく必要がある。
【発明の開示】
【発明が解決しようとする課題】
【０００４】
しかるに、体重計の平面サイズは様々であり、平面サイズの小さい体重計を凹所の底面中央部に設置すると、カバープレートが凹所の平面内において体重計の側方に張り出してしまい、体重を計測する際に誤って張り出し部を強く踏んでしまった場合に、カバープレートや体重計が傾いてしまい、危険であると共に、体重計が衝撃力を受けて故障してしまうおそれがある。
【０００５】
また、カバープレートを体重計のみに依存させて取り付ける構造では、カバープレートに横滑り方向の力や上方に外れようとする力が働くと、それが、体重計にも強く作用してしまい、体重計に大きな力学的負担がかかって、故障の原因となりやすいという問題もある。
【０００６】
本発明は、上記のような問題点に鑑み、安全に使用でき、しかも、体重計を故障させない体重計の床埋込み構造を提供することを課題とする。
【課題を解決するための手段】
【０００７】
上記の課題は、床面に体重計設置用の凹所が設けられ、
該凹所の底面中央部に、凹所の平面サイズよりも小さい平面サイズの体重計が設置され、
該体重計の上面部に、体重計から側方に張り出すが床面側に突出しない態様で凹所を塞ぐカバープレートが設置され、
該カバープレートの側方張り出し部と凹所の底面部との間に、体重計測の際のカバープレートの上下方向の変位を許容しながら、カバープレートが凹所の底面側に傾くのを体重計に依存することなく防止する傾き防止機構部が備えられていることを特徴とする体重計の床埋込み構造によって解決される（第１発明）。
【０００８】
この構造では、カバープレートの側方張り出し部と凹所の底面部との間に、カバープレートが凹所の底面側に傾くのを体重計に依存することなく防止する傾き防止機構部が備えられているので、体重を計測する際に誤ってカバープレートの側方張り出し部を強く踏んでしまっても、傾き防止機構部が、側方張り出し部の傾き動作を防止するように働き、それによって、体重の計測を安全に行うことができると共に、体重計が故障してしまうのも防ぐことができる。
【０００９】
第１発明において、カバープレートの側方張り出し部と凹所の底面部との間に、カバープレートの上下方向の変位を許容しながら、カバープレートの横滑りを体重計に依存することなく防止する横滑り防止機構部が備えられているとよい（第２発明）。
【００１０】
この場合は、カバープレートに横滑り方向の力が作用した際に、横滑り防止機構部によってカバープレートの横滑りが防止され、しかも、該横滑り防止機構部は体重計に依存することなくカバープレートの横滑りを防止するようになされているので、その際の体重計への力学的負担も小さいかほとんどなくて、体重計を故障させてしまうことがない。加えて、横滑り防止機構部は、体重計の平面サイズが凹所の平面サイズよりも小さく設定されているなかで、カバープレートの側方張り出し部と凹所の底面部との間のスペースを有効利用して備えられているので、横滑り防止機構部の組込みを容易に行うことができる。
【００１１】
また、第１、第２発明において、カバープレートの側方張り出し部と凹所の底面部との間に、カバープレートの上下方向の変位を許容しながら、カバープレートの上方への外れを体重計に依存することなく防止する外れ防止機構部が備えられているとよい。
【００１２】
この場合は、カバープレートに上方外れ方向への力が作用した際に、外れ防止機構部によって上方へのカバープレートの外れが防止され、しかも、該外れ防止機構部は体重計に依存することなくカバープレートの外れを防止するようになされているので、その際の体重計への力学的負担も小さいかほとんどなくて、体重計を故障させてしまうことがない。加えて、外れ防止機構部は、体重計の平面サイズが凹所の平面サイズよりも小さく設定されているなかで、カバープレートの側方張り出し部と凹所の底面部との間のスペースを有効利用して備えられているので、外れ防止機構部の組込みを容易に行うことができる。
【００１３】
また、本発明は、床面に体重計設置用の凹所が設けられ、
該凹所の底面中央部に、凹所の平面サイズよりも小さい平面サイズの体重計が設置され、
該体重計の上面部に、体重計から側方に張り出すが床面側に突出しない態様で凹所を塞ぐカバープレートが設置され、
前記カバープレートの側方張り出し部と凹所の底面部との間に、カバープレートの上下方向の変位を許容しながら、カバープレートの横滑りを体重計に依存することなく防止する横滑り防止機構部が備えられていることを特徴とする体重計の床埋込み構造（第４発明）を含む。
【００１４】
更に、本発明は、床面に体重計設置用の凹所が設けられ、
該凹所の底面中央部に、凹所の平面サイズよりも小さい平面サイズの体重計が設置され、
該体重計の上面部に、体重計から側方に張り出すが床面側に突出しない態様で凹所を塞ぐカバープレートが設置され、
前記カバープレートの側方張り出し部と凹所の底面部との間に、カバープレートの上下方向の変位を許容しながら、カバープレートの上方への外れを体重計に依存することなく防止する外れ防止機構部が備えられていることを特徴とする体重計の床埋込み構造（第５発明）を含む。
【００１５】
これら第４，第５発明は、第１発明におけるような態様の傾き防止機構部の採用を任意としたものであり、その場合であっても、カバープレートに横滑り方向の力や上方外れ方向への力が作用した際に、防止機構部でカバープレートの横滑りや上方への外れを防止することができ、しかも、防止機構部は体重計に依存することなく備えられているので、外力による体重計の故障を防ぐことができ、加えて、カバープレートの側方張り出し部と凹所の底面部との間のスペースを有効利用して防止機構部の組込みを容易に行うことができるという作用効果を奏することができる。
【発明の効果】
【００１６】
本発明の体重計の床埋込み構造は、以上のとおりのものであるから、安全に使用することができ、しかも、体重計を故障させる危険性もないか、少ない。
【発明を実施するための最良の形態】
【００１７】
次に、本発明の実施最良形態を図面に基づいて説明する。
【００１８】
図１〜図５に示す実施形態の体重計床埋込み構造において、１はトイレや洗面脱衣室などの床面であり、該床面１には、体重計を設置するための方形の凹所２が備えられ、該凹所２の底面中央部に体重計３が設置されている。
【００１９】
凹所２は、図４及び図５に示すように、床面１に、床下に開口する孔４が明けられ、該孔４の内部に、体重計支承用のプレート５が根太６に下から支えられるようにして設置され、該プレート５の周縁部の上面側には、外方張り出しのショルダー部７ａを備えた水受け樋７が一体的に取り付けられ、ショルダー部７ａが孔４の周囲の床面１をカバーするように設置されて形成されたもので、平面サイズは、人の両足裏が、床面側に突出することなくおさまるサイズ、例えば一辺が３３０ｍｍのサイズに設計されている。なお、図２（イ）において、８…は荷重伝達用のボルトで、体重計支承用のプレート５にかかる荷重の一部又は全部を根太６に伝えるためのものである。
【００２０】
体重計３は、凹所２の平面サイズよりもかなり小さい平面サイズのものからなっていて、図４に示すように、凹所２の底面２ａの中央部に設置され、該体重計３の上面部には、体重計３から側方に張り出すが、床面１側に突出しない態様で凹所２を塞ぐ平面視方形状のカバープレート９が設置されている。
【００２１】
該カバープレート９は、３枚のプレート１１，１２，１３からなっていて、最下と中間のプレート１１，１２は金属板からなる下地プレートであり、最上のプレート１３は仕上げ用のプレートである。そして、最下のプレート１１は、体重計３の上面部に面ファスナー１４で着脱可能に軽く止め付けられ、また、中間のプレート１２は最下のプレート１１の上面部に重なるようにして面ファスナー１４で着脱可能に軽く止め付けられ、更に、最上の仕上げプレート１３は、中間のプレート１２の上面部に同じく重なるようにして面ファスナー１４で着脱可能に軽く止め付けられている。
【００２２】
そして、体重計３の上に設置された上記の３枚式カバープレート９の傾き防止と、横滑り防止と、上方への外れ防止のために、次のような構成が採用されている。
【００２３】
即ち、最下のプレート１１には、図２（ロ）に示すように、プレス成形によって、四隅部に、下方に段状に偏心させた水平な耳部１５…が設けられると共に、各辺部の中間部に補強用の立ち上がり部１１ａ…が設けられ、各耳部１５には通孔１６が明けられている。
【００２４】
また、図２（イ）、図１等に示すように、凹所２内の底面部２ａにおいて、その四隅部には、底面２ａから所定寸法上方に離れた高さ位置に台座１７…が固定で備えられ、台座１７にはネジ孔１８が明けられている。なお、台座１７の形態に制限はなく、図示するような脚式のものである必要はない。
【００２５】
そして、最下のプレート１１は、これを体重計３の上面部に設置した状態で、図１（ロ）に示すように、耳部１５が台座１７の上面部に対して離間状態を保ちつつの接近配置状態となり、上方より、耳部１５の通孔１６を通じてパッキン１９付きのボルト２０が通され、該ボルト２０は台座１７のネジ孔１８に螺合され、パッキン１９はボルト２０と耳部１５の通孔１６の周囲との間に介在した状態にされている。なお、通孔１６はパッキン１９に対してルーズであって、ボルト頭部２０ａよりも小さな孔に形成されている。通孔１６をパッキン１９に対してルーズにしておくことによって、横滑り方向の動きをパッキン１９によって弾力的に阻止することができ、しかも、パッキン１９の摩耗を防ぐことができる。
【００２６】
カバープレート９における中間のプレート１２は、最下のプレート１１の耳部１５の段差部分の上方に張り出し、ボルト頭部２０ａの上方で最上のプレート１３を下から支える下地として機能する。
【００２７】
上記の体重計床埋込み構造では、例えば、体重を計測する際に誤ってカバープレート９の側方張り出し部１０を強く踏んでしまった場合は、図１（ロ）で明らかなように、それとは反対側に位置する最下のプレート１１の耳部１５が、ボルト頭部２０ａと係合して、浮き上がるのを阻止され、それによって、カバープレート９が強く踏んでしまった方に傾いてしまうのが防止される。なお、耳部１５が台座１７に当接することによっても傾くのが防止されるようになされていてもよいし、なされていなくてもよい。ボルト２０や耳部１５、台座１７は、周方向の４カ所に備えられているから、カバープレート９の側方張り出し部１０の周方向のどこを強く踏んでも傾くことはなく、体重計測を安全に行うことができる。そして、この傾き防止は、ボルト２０と耳部１５とが係合することによって行われるようになされたものであって、体重計３に力学的に依存して、即ち、体重計そのものが傾かないように働く作用を利用して防止するものではないので、体重計３に力学的に負担を及ぼして故障させてしまうこともない。したがってまた、体重計３は、凹所２の底面部２ａに載せ置くだけの設置状態であってよい。
【００２８】
また、カバープレート９の上面部に横滑り方向の力が作用した場合についても、図１（ロ）で明らかなように、最下のプレート１１の耳部１５の通孔１６の周囲部がパッキン１９を介してボルト２０の軸部と係合し、それによって、カバープレート９が横滑りしてしまうのが阻止される。ボルト２０と耳部１５とは周方向の４カ所に備えられているから、カバープレート９にどの方向からの横滑り力が作用しても、あるいはねじれ方向の横滑り力が作用しても、カバープレート９が横滑りしてしまうことはない。そして、この滑り防止は、ボルト２０と耳部１５とが係合することによって行われるようになされたものであって、体重計３に力学的に依存して、即ち、体重計そのものが横滑りしないように働く作用を利用して防止するものではないので、体重計３に力学的に負担を及ぼして故障させてしまうこともない。
【００２９】
更に、カバープレート９に上方外れ方向への力が作用した場合についても、図１（ロ）で明らかなように、最下のプレート１１の耳部１５が、ボルト頭部２０ａと係合して、浮き上がるのを阻止され、それによって、カバープレート９が上方にはずれてしまうのも阻止される。そして、この外れ防止は、ボルト２０と耳部１５とが係合することによって行われるようになされたものであって、体重計３に力学的に依存して、即ち、体重計そのものが上昇しないように働く作用を利用して防止するものではないので、体重計３に力学的に負担を及ぼして故障させてしまうこともない。
【００３０】
なお、体重計３のメンテナンスや交換を行うときは、カバープレート９の最上及び中間のプレート１２，１３を外したのち、四隅のボルト２０…を外して最下のプレート１１を外せば、凹所２内の体重計３を外に出すことができ、修復も、その逆を行えばよく、体重計３のメンテナンスや交換を容易に行うことができる。
【００３１】
以上に、本発明の実施形態を示したが、本発明はこれに限られるものではなく、発明思想を逸脱しない範囲で各種の変更が可能である。例えば、上記の実施形態では、傾き防止機構部、横滑り防止機構部及び外れ防止機構部の具体的構造を示しているが、本発明のそれらは、これら具体的構造の機構部に限定されるものではなく、各種構造をしていてよい。
【００３２】
また、カバープレートの構造や、凹所の構造、体重計を埋め込む床面等についても制限はなく、種々変更することができるものである。
【図面の簡単な説明】
【００３３】
【図１】実施形態の体重計床埋込み構造を示すもので、図（イ）は右半部の断面正面図、図（ロ）は要部拡大断面正面図である。
【図２】図（イ）はカバープレートを取り外した状態の平面図、図（ロ）はカバープレートを構成する下プレートの斜視図である。
【図３】体重計床埋込み構造の全体断面正面図である。
【図４】カバープレートを分離分解状態にして示す全体断面正面図である。
【図５】床面の凹所の構造を分解状態にして示す全体断面正面図である。
【符号の説明】
【００３４】
１…床面
２…凹所
２ａ…底面
３…体重計
９…カバープレート
１０…側方張り出し部
１５…耳部（防止機構部）
１６…通孔（防止機構部）
１７…台座（防止機構部）
１８…ネジ孔（防止機構部）
１９…パッキン（防止機構部）
２０…ボルト（防止機構部）
【図１】
2006097388.tif 000003
【図２】
2006097388.tif 000004
【図３】
2006097388.tif 000005
【図４】
2006097388.tif 000006
【図５】
2006097388.tif 000007